(57)【特許請求の範囲】
【請求項１】
表生地糸（11）がメッシュ状に編織された表生地（１）と、前記表生地糸（11）と異なる色の柄糸（21Ａ）を少なくとも含む下地生地糸（21）によって編織された下地生地（２）とが積層状態に固定されて構成される長手帯状の布帛であって、
これら表生地（１）と下地生地（２）との少なくとも幅方向における端縁部同士が同一の編織組織により一体に接合固定された一重組織領域（Ｓ）が形成されている一方、両生地が非接合かつ近接状態の二重組織領域（Ｄ）が形成されており、
この二重組織領域（Ｄ）において、前記表生地（１）および下地生地（２）が共に平面状であるとき、表生地（１）の表生地糸（11）によるメッシュ目を、下地生地（２）の下地生地糸（21）の柄糸（21Ａ）の配置に合致させることによって、当該柄糸（21Ａ）により形成される線状柄を、その真上に配置される表生地糸（11）により表面側において被覆遮蔽して構成されている一方、
前記表生地（１）または下地生地（２）の少なくとも一方が波打ち状に変形したとき、これら両生地の相対位置がズレて下地生地（２）の下地生地糸（21）の柄糸（21Ａ）が表生地（１）のメッシュ目の隙間から露出することによって、表生地（１）の表面側に強弱変化するモアレ縞模様を現出可能に構成したことを特徴とするモアレ縞模様の装飾帯体。
【請求項２】
二重組織領域（Ｄ）において、下地生地（２）には柄糸（21Ａ）によって規則的なストライプ柄、ボーダー柄、または格子柄が形成されており、かつ、この柄糸（21Ａ）の柄ピッチが表生地（１）の表生地糸（11）によるメッシュ目のピッチと同一または整数倍であることを特徴とする請求項１記載のモアレ縞模様の装飾帯体。
【請求項３】
二重組織領域（Ｄ）における下地生地（２）が、柄糸（21Ａ）がメッシュ状に編織された生地であって、かつ、この下地生地（２）と表生地（１）との各メッシュ目のピッチが同一または整数倍であることを特徴とする請求項１または２記載のモアレ縞模様の装飾帯体。
【請求項４】
表生地（１）および下地生地（２）が、ダブルラッセルにより編成された編地であることを特徴とする請求項１〜３の何れか一つに記載のモアレ縞模様の装飾帯体。
【請求項５】
表生地（１）および下地生地（２）が、たて糸とよこ糸とからなる織物組織を形成していることを特徴とする請求項１〜３の何れか一つに記載のモアレ縞模様の装飾帯体。
【請求項６】
表生地（１）の表生地糸（11）によるメッシュ目形状が六角形であるとともに、下地生地（２）が柄糸（21Ａ）により形成された規則的な六角柄を有する生地であり、かつ、下地生地（２）の柄ピッチは表生地（１）のメッシュ目のピッチと同一または整数倍であることを特徴とする請求項１〜３の何れか一つに記載のモアレ縞模様の装飾帯体。
【発明の詳細な説明】
【技術分野】
【０００１】
本発明は、装飾用の繊維製品の改良、更に詳しくは、簡素な工程で製造することができ、意匠性の優れたモアレ縞模様を確実に現出させることができるモアレ縞模様の装飾帯体に関するものである。
【背景技術】
【０００２】
周知のとおり、繊維製品におけるモアレ縞模様は、規則正しい繰り返し模様の生地（織物や編物など）を複数重ね合わせた時に、それらの周期のずれにより視覚的に発生する装飾的な干渉縞模様であり、例えば、衣服などにおいては、ストライプ柄や格子柄などの模様の衣服の上からメッシュ地の衣服を重ね着した際に、これらの生地同士が近接することによって生じる。
【０００３】
しかしながら、衣服の重ね着の場合には、下に着る衣服とメッシュ生地からなる上着との間には通常大きな隙間があって全面的に密着することは困難であるため、この少ない密着部分にしか装飾的なモアレ縞模様は発生しない。
【０００４】
そこで、モアレ縞模様を装飾要素として積極的に活用すべく、近接する筋模様を形成した下側布帛と、同じく筋模様を形成して透視性を有する表側布帛とを重設使用してモアレ縞模様を現出させる衣服素材が提案されている（特許文献１参照）。
【０００５】
また、表生地として、下生地の細線模様と同調するように規則的に並んだ模様を有する透過率６５％以上の布帛を用いて、これら２枚の布帛を重ねて構成したものが提案されており（特許文献２参照）、このように二つの布帛を重ねて用いることにより、二つの布帛が近接した状態を維持することによって、ほぼ全面的にモアレ縞模様を現出させるものがある。
【０００６】
しかしながら、上下２枚の生地の柄を一致させた状態で縫製するためには、表生地が寸法安定性の悪いメッシュ地であることから、この表生地のメッシュ目と下生地の柄とを正確に合わせる必要があり、かかる作業はかなり慎重にせねばならず、縫製効率が悪く製造コストが高くなるという問題がある。
【先行技術文献】
【特許文献】
【０００７】
【特許文献１】特開平８−１７６９１６号公報
【特許文献２】特開平１０−２３７７４８号公報
【発明の概要】
【発明が解決しようとする課題】
【０００８】
本発明は、従来の装飾用の繊維製品に上記のような問題があったことに鑑みて為されたものであり、その目的とするところは、簡素な工程で製造することができ、意匠性の優れたモアレ縞模様を確実に現出させることができるモアレ縞模様の装飾帯体を提供することにある。
【課題を解決するための手段】
【０００９】
本発明者が上記技術的課題を解決するために採用した手段を、添付図面を参照して説明すれば、次のとおりである。
【００１０】
即ち、本発明は、表生地糸11がメッシュ状に編織された表生地１と、前記表生地糸11と異なる色の柄糸21Ａを少なくとも含む下地生地糸21によって編織された下地生地２とが積層状態に固定されて構成される長手帯状の布帛であって、
これら表生地１と下地生地２との少なくとも幅方向における端縁部同士を同一の編織組織により一体に接合固定して一重組織領域Ｓを形成する一方、両生地が非接合かつ近接状態の二重組織領域Ｄを形成して、
この二重組織領域Ｄにおいて、前記表生地１および下地生地２が共に平面状であるとき、表生地１の表生地糸11によるメッシュ目を、下地生地２の下地生地糸21の柄糸21Ａの配置に合致させることによって、当該柄糸21Ａにより形成される線状柄を、その真上に配置される表生地糸11により表面側において被覆遮蔽して構成する一方、
前記表生地１または下地生地２の少なくとも一方が波打ち状に変形したとき、これら両生地の相対位置がズレて下地生地２の下地生地糸21の柄糸21Ａが表生地１のメッシュ目の隙間から露出することによって、表生地１の表面側に強弱変化するモアレ縞模様を現出可能に構成するという技術的手段を採用したことによって、モアレ縞模様の装飾帯体を完成させた。
【００１１】
また、本発明は、上記課題を解決するために、必要に応じて上記手段に加え、二重組織領域Ｄにおいて、下地生地２には柄糸21Ａによって規則的なストライプ柄、ボーダー柄、または格子柄を形成して、かつ、この柄糸21Ａの柄ピッチを表生地１の表生地糸11によるメッシュ目のピッチと同一または整数倍にするという技術的手段を採用することができる。
【００１２】
更にまた、本発明は、上記課題を解決するために、必要に応じて上記手段に加え、二重組織領域Ｄにおける下地生地２を、柄糸21Ａをメッシュ状に編織した生地にして、かつ、この下地生地２と表生地１との各メッシュ目のピッチを同一または整数倍にするという技術的手段を採用することができる。
【００１３】
更にまた、本発明は、上記課題を解決するために、必要に応じて上記手段に加え、表生地１および下地生地２を、ダブルラッセルにより編成された編地にするという技術的手段を採用することができる。
【００１４】
更にまた、本発明は、上記課題を解決するために、必要に応じて上記手段に加え、表生地１および下地生地２を、たて糸とよこ糸とからなる織物組織を形成するという技術的手段を採用することができる。
【００１５】
更にまた、本発明は、上記課題を解決するために、必要に応じて上記手段に加え、表生地１の表生地糸11によるメッシュ目形状を六角形にするとともに、下地生地２を柄糸21Ａにより形成した規則的な六角柄を有する生地にして、かつ、下地生地２の柄ピッチを表生地１のメッシュ目のピッチと同一または整数倍にするという技術的手段を採用することができる。
【発明の効果】
【００１６】
本発明にあっては、表生地糸がメッシュ状に編織された表生地と、前記表生地糸と異なる色の柄糸を少なくとも含む下地生地糸によって編織された下地生地とが積層状態に固定されて構成される長手帯状の布帛であって、
これら表生地と下地生地との少なくとも幅方向における端縁部同士を一の編織組織により一体に接合固定された一重組織領域を形成する一方、両生地が非接合かつ近接状態の二重組織領域を形成したことによって、
この二重組織領域において、前記表生地および下地生地が共に平面状であるとき、表生地の表生地糸によるメッシュ目が、下地生地の下地生地糸の柄糸の配置に合致することによって当該柄糸を表生地により表面側において被覆遮蔽することができる一方、
前記表生地または下地生地の少なくとも一方が曲面変形したとき、これら両生地の相対位置がズレて下地生地の下地生地糸の柄糸が表生地のメッシュ目の隙間から露出することによって、表生地の表面側に強弱変化するモアレ縞模様を現出させることができる。
【００１７】
したがって、本発明の装飾帯体によれば、同組織の２枚の布帛を一体成形により連結して布帛内の一部にモアレ縞模様を発現する二重組織領域を設けることにより、意匠性に優れた布帛を提供することができる。また、一枚の布帛であるため、表生地と下地生地を合わせて縫合するような面倒な作業をする必要がない。
【００１８】
更にまた、本発明の装飾帯体を衣服の表面に配設することによって、人体の動作に合わせて自然にモアレ縞模様を現出させることができ、ファッション性に富んだ衣服の提供が可能となる。
【００１９】
そしてまた、製造に際しては、両生地のメッシュ目を機械的に正確に合致させることができ、鮮明なモアレ縞模様を安定して発現させることができるとともに、両方の端縁部に一重組織領域を設けて固定したことによって、静止時と動作時でモアレ縞模様の現出をより際立たせることができることから、産業上の利用価値は頗る大きいと云える。
【図面の簡単な説明】
【００２０】
【図１】本発明の第１実施形態の帯体の構造を表す概略正面図である。
【図２】本発明の第１実施形態の帯体の構造を表す概略断面図である。
【図３】本発明の第１実施形態の帯体の使用時を表す概略正面図である。
【図４】本発明の第１実施形態の帯体の使用時を表す概略正面図である。
【図５】本発明の第１実施形態の帯体の装着状態を表す斜視図である。
【図６】本発明の第１実施形態の帯体の変形例を表す概略正面図である。
【図７】本発明の第１実施形態の帯体の変形例を表す概略正面図である。
【図８】本発明の第２実施形態の帯体の構造を表す概略正面図である。
【図９】本発明の実施例の編成組織図である。
【発明を実施するための形態】
【００２１】
本発明を実施するための形態を、具体的に図示した図面に基づいて、更に詳細に説明すると、次のとおりである。
【００２２】
『第１実施形態』
本発明の第１実施形態を図１から図７に基づいて説明する。図１中、符号１で指示するものは表生地であり、この表生地１は、表生地糸11をメッシュ状に編織したものである。本実施形態では、この表生地１を編物組織構造として、たて方向における鎖編み等のたて方向編み糸11ａとこの糸に編絡するよこ挿入糸11ｂとから構成する。
【００２３】
また、符号２で指示するものは下地生地であり、この下地生地２は、前記表生地１の表生地糸11と異なる色の柄糸21Ａを少なくとも含む下地生地糸21によって編織する。本実施形態では、前記表生地１と同じ編物組織構造にする。
【００２４】
これらの生地を構成する糸種としては、例えば、通常衣料用として用いられている繊維糸で、ポリエステル、ナイロン、アクリルなどの合成繊維、レーヨンのような半合成繊維、綿、毛、絹など天然繊維を用いて、それらの混紡糸や交撚糸などを採用することができる。
【００２５】
また、糸繊度においては、製品の風合いを鑑みて適宜決めれば良いが、表生地１のメッシュ地においてはモアレ縞模様を繊細に発現させる目的では５０〜３５０Ｄｔｅｘ程度の比較的に細繊度糸を用いることが好ましい。
【００２６】
しかして、本実施形態にあっては、前記表生地１と下地生地２とを積層状態で一体に固定することによって、長手帯状の布帛を構成するものである。
【００２７】
そして、これら表生地１と下地生地２との少なくとも幅方向における端縁部同士を同一の編織組織により一体に接合固定された一重組織領域Ｓを形成する一方、両生地が非接合かつ近接状態の二重組織領域Ｄを形成する。
【００２８】
本実施形態では、帯体の幅方向における両端縁部の領域をそれぞれ一重組織領域Ｓ・Ｓにする一方、中央部の領域を二重組織領域Ｄとして、それぞれ二つの針床を有したダブルラッセル編機によって長さ方向に一体に編成する。
【００２９】
この際、一重組織領域Ｓは、ダブルラッセル編機の両針床を使用して連結糸３で一体化したダブルラッセル地でも良いし、どちらか片方の針床のみで編成された通常の経編地であっても良いが、本実施形態では、両針床を使用して連結糸３で連結したダブルラッセル地にする（図２参照）。
【００３０】
また、編物組織しては、鎖編、トリコット編、コード編、アトラス編、あるいはよこ挿入組織などの組み合わせによる組織があり、両針床の連結組織においても鎖編やトリコット編組織などを採用することができる。
【００３１】
本実施形態では、両針床を使用して、それぞれ鎖編組織とよこ挿入組織との組み合わせ組織で鎖編の連結組織により一体化したダブルラッセル地のメッシュ生地にすることが好ましく、寸法安定性の優れた編地が得られる。
【００３２】
次に、二重組織領域Ｄは、両針床を使用してそれぞれを連結することなく（即ち連結糸３無しで）表生地１と下地生地２とがそれぞれ独立して編成されている領域である。この際、下地生地２の下地生地糸21は比較的淡色系（白、黄など）の色糸をベース（グランド糸）として用いて、通常の経編組織で編成する。
【００３３】
なお、表生地１のメッシュ組織としては、ダブルラッセル地の場合にはマーキゼット組織、チュール組織、ネット組織などを採用することができ、中でもマーキゼット組織は四角形のメッシュ目を形成するので下地生地２のストライプ柄や格子柄と一致させ易いことからモアレ縞模様が鮮明に発現し易い。
【００３４】
一方、表生地１はたて方向編み糸11ａ（鎖編みなど）とよこ挿入糸11ｂでメッシュ地をなしており、たて方向編み糸11ａおよびよこ挿入糸11ｂは比較的濃色系（黒、紺など）の色糸からなっている。
【００３５】
そして、本実施形態では、二重組織領域Ｄの下地生地２における比較的淡色系の下地生地糸21の中には、濃色系の柄糸21Ａを含んでおり、この柄糸21Ａが一定のピッチで配列されて長さ方向にストライプ柄を呈している。
【００３６】
なお、柄糸21Ａによるストライプ柄の線は、柄糸21Ａの鎖編のアンダーラップ糸、あるいはたて方向挿入糸によって表すことができる。
【００３７】
一方、表生地１はたて方向編み糸11ａ（鎖編みなど）とよこ挿入糸11ｂとでメッシュ地をなし、たて方向編み糸11ａの配列ピッチは下地生地２のストライプ柄のピッチと同一にすることによって、たて方向編み糸11ａと下地生地２の柄糸21Ａとが重なって被覆隠蔽する位置関係になっている。
【００３８】
以上の構成により得られた帯体の二重組織領域Ｄの部分は、下地生地２のストライプ柄と表生地１のメッシュ目との僅かなずれによりモアレ縞模様を発現させることができる（図３および４参照）。
【００３９】
なお、本実施形態における二重組織領域Ｄの下地生地２はストライプ柄の例であるが、表生地１のメッシュ目と合わせた規則的なボーダー柄や格子柄であれば、より複雑なモアレ縞模様を発生させることができる。また、下地生地２の柄ピッチとメッシュ目のピッチを整数倍の関係にすることができ、整然と重なり合うことによって、表生地糸11が柄糸21Ａを確実に被覆遮蔽することができる。
【００４０】
そしてまた、本発明の装飾帯体は、スポーツウエアなどの衣服に固定して装飾テープとして用いることができ、身体の動きに応じて装飾テープのモアレ縞模様が躍動的に変化するというファッション性に富んだ衣服が得られる（図５参照）。
【００４１】
なお、本発明の装飾帯体を使用する場合、テープ幅が狭いとテープ自体の変形し難くなってモアレ縞模様の発生が少なくなるので、テープ幅としては１０〜５０ｍｍ程度で、そのうち二重組織領域Ｄの幅は前記テープ幅全体の５０〜９５％程度が好ましい。
【００４２】
また、表生地１のメッシュ目、および下地生地２のストライプ柄、または格子柄のピッチとしては０．５〜５ｍｍが好ましい。この際、ピッチは小さい方が繊細なモアレ縞模様が期待できるが、ピッチが０．５ｍｍより小さいと表生地１のメッシュ目からの透過光が少なくなりモアレ縞模様が発現し難くなる。一方、ピッチが５ｍｍ以上になると、繊細で美的なモアレ縞模様が得られ難くなる。
【００４３】
更にまた、ジャカード機構を用いることより、図６に示すように二重組織領域Ｄの長さ方向に対して幅が変化するデザインや、あるいは図７に示すように二重組織領域Ｄを窓型の開口部の島状のデザインにして、モアレ縞模様の発現する領域の形状自体も模様にすることによって、より一層ファッション性を高めることもできる。
【００４４】
なお、本発明の装飾帯体において、多少広幅のサイズ（数十センチ）になる場合は、少なくとも両耳を一重組織領域Ｓとし、二重組織領域Ｄの中の所々に一重組織領域Ｓを設けて、形態不安定なメッシュ地をある程度固定しておくことにより、モアレ縞模様を安定して発現させることができる。
【００４５】
以上のように構成したことにより、二重組織領域Ｄにおいて、前記表生地１および下地生地２が共に平面状であるときは、表生地１の表生地糸11によるメッシュ目が、下地生地２の下地生地糸21の柄糸21Ａの配置に合致することによって当該柄糸21Ａを表生地１により表面側において被覆遮蔽することができる。
【００４６】
一方、帯体に外力が加わって前記表生地１または下地生地２の少なくとも一方が波打ち状に変形したときは、これら両生地の相対位置がズレて下地生地２の下地生地糸21の柄糸21Ａが表生地１のメッシュ目の隙間から露出することによって、表生地１の表面側に強弱変化するモアレ縞模様が現出する。
【００４７】
即ち、下地生地２と表生地１とのメッシュ目が接する個所は、下地生地２の柄糸21Ａの淡色が目立つ一方、下地生地２とメッシュ目が離れている個所あるいは生地の皺などによってメッシュ地同士の重なりが大きい個所は濃色になってモアレ縞模様として発現するため、身体の動きによりそのモアレ縞模様を変化させることができるのである。
【００４８】
『第２実施形態』
次に、本発明の第２実施形態を図８に基づいて説明する。本実施形態では、装飾帯体の組織構造として、表生地１および下地生地２がそれぞれたて糸11ｃとよこ糸11ｄとからなる織物組織を形成する。
【００４９】
具体的には、織物内の一部（中央部）に二重組織領域Ｄを設け、その二重組織領域Ｄの表生地１を目の粗いメッシュ地とし、下地生地２にストライプ柄や格子柄を施すことにより、モアレ縞模様を得ることができる。
【００５０】
本実施形態のように織物組織を採用した場合は、大きなメッシュ目にすると目ずれが生じ易いために平組織であるオーガンジーや摸紗織などのように目の透いた織物であって、たて糸、またはよこ糸単位で干渉させることが出来るので、非常に繊細なモアレ縞模様を得ることができる。
【実施例】
【００５１】
本実施形態（編物組織）における具体的な実施例について以下に説明する。本実施例では、カールマイヤー製２４ゲージのダブルラッセル機を用いて、幅方向の両端に一重組織領域Ｓを、そして中央にモアレ縞模様を発生させる二重組織領域Ｄを設け、以下の表に示す編成条件、および図９に示す組織図で本発明の帯体（経編地）を得た。
【００５２】
＜編成条件＞
使用編機              カールマイヤー製２４ゲージダブルラッセル機
編地幅        全幅    ３６ｍｍ
一重組織領域Ｓの幅    各５ｍｍ
二重組織領域Ｄの幅    ２６ｍｍ
糸使い  表生地（メッシュ地）ポリエステル加工糸  １６７ｄｔｅｘ（黒色先染め）
下地生地（グランド糸）      同上                          （白色先染め）
（柄糸）            同上                          （青色先染め）
一重組織および二重組織の下地  コース密度        ３０ｃ／ｉｎｃｈ
ウェール密度  ３４．５ｗ／ｉｎｃｈ
二重組織            下地生地に柄糸ピッチ      １ｍｍ
メッシュのピッチ          １ｍｍ
【００５３】
以上のように得られた帯体表面には、明確にモアレ縞模様が発現しており、また帯体表面を変化させることによってモアレ縞模様が変化し、意匠性に優れていることが確認された。
【００５４】
本発明は、概ね上記のように構成されるが、図示の実施形態に限定されるものでは決してなく、「特許請求の範囲」の記載内において種々の変更が可能であって、例えば、二重組織領域Ｄにおける下地生地２を、柄糸21Ａのみをメッシュ状に編織したメッシュ生地にすることもできる。こうすることによって、下地生地２の格子柄と同様にモアレ縞模様を得ることができ、同時に通気性も得られるのでスポーツウエアや夏物衣料に好適な帯体になる。この際、この下地生地２と表生地１との各メッシュ目のピッチを同一または整数倍にする。
【００５５】
また、表生地１の表生地糸11によるメッシュ目形状を六角形にするとともに、下地生地２を柄糸21Ａにより形成された規則的な六角柄を有する生地にして、かつ、下地生地２の柄ピッチを表生地１のメッシュ目のピッチと同一または整数倍にすることによっても、モアレ縞模様を現出させることができ、これら何れのものも本発明の技術的範囲に属する。
【符号の説明】
【００５６】
１    表生地
11    表生地糸
11ａ  たて方向編み糸
11ｂ  よこ挿入糸
11ｃ  たて糸
11ｄ  よこ糸
２    下地生地
21    下地生地糸
21Ａ  柄糸
３    連結糸
Ｓ    一重組織領域
Ｄ    二重組織領域
【図１】
0005764397.tif 000002
【図２】
0005764397.tif 000003
【図３】
0005764397.tif 000004
【図４】
0005764397.tif 000005
【図５】
0005764397.tif 000006
【図６】
0005764397.tif 000007
【図７】
0005764397.tif 000008
【図８】
0005764397.tif 000009
【図９】
0005764397.tif 000010